(57)【要約】【課題】ミストを安定して発生させることができるミスト発生装置及び美容装置を提供する。【解決手段】供給される水を加熱してスチームを生成するボイラー室４７と、ボイラー室４７に水を供給する給水経路７１と、給水経路７１を通じて供給される水よりも高温の水を貯留する貯留部６７と、給水経路７１の途中位置に設けられ、給水経路７１を通じて供給される水を滞留させつつ、貯留部６７に貯留されている水を流入させることにより両水を混合させる混合部６２とを備えた。【選択図】図８
2012205729.tif 000002
【特許請求の範囲】
【請求項１】
貯留タンクから供給される液体を加熱してミストを生成するミスト室と、
前記ミスト室に前記液体を供給する液体供給流路と、
前記液体供給流路を通じて供給される液体よりも高温の液体を貯留する貯留部と、
前記液体供給流路の途中位置に設けられ、前記液体供給流路を通じて供給される液体を滞留させつつ、前記貯留部に貯留されている液体を流入させることにより両液体を混合させる混合部と
を備えたことを特徴とするミスト発生装置。
【請求項２】
請求項１に記載のミスト発生装置において、
前記貯留部に貯留される前記液体の体積は、前記混合部に貯留される前記液体の体積よりも小さいことを特徴とするミスト発生装置。
【請求項３】
請求項１又は請求項２に記載のミスト発生装置において、
前記液体供給流路の途中位置に設けられ、前記ミスト室への前記液体の流入を低減させる規制部材を更に備えたことを特徴とするミスト発生装置。
【請求項４】
請求項３に記載のミスト発生装置において、
前記規制部材は、前記液体供給流路における前記混合部よりも前記貯留タンク側に設けられることを特徴とするミスト発生装置。
【請求項５】
請求項３又は請求項４に記載のミスト発生装置において、
前記規制部材には、前記液体供給流路の流路断面形状よりも小さな開口形状の通液孔が形成されていることを特徴とするミスト発生装置。
【請求項６】
ミストを放出して肌表面の手入れを行う美容装置において、
請求項１〜請求項５のうち何れか一項に記載のミスト発生装置を備えたことを特徴とする美容装置。
【発明の詳細な説明】
【技術分野】
【０００１】
本発明は、液体からミストを生成するミスト発生装置、及び該ミスト発生装置を備えた美容装置に関する。
【背景技術】
【０００２】
従来から、ミスト発生装置は、液体をヒーターにて沸騰させて気化させたミストを人体の顔などに向けて放出することにより、肌に潤いを与えるなどの美容効果やスキンケアを目的とした装置に用いられている（例えば、特許文献１）。この特許文献１に記載のミスト発生装置では、貯水タンクから沸騰室に供給された水をヒーターの熱によって沸騰させてミストを発生させるようになっている。
【０００３】
また、特許文献１に記載のミスト発生装置には、貯水タンクから沸騰室に水を供給する給水経路部の途中に予備加熱経路部の下端が連結されている。この予備加熱経路部は、その上端がエルボを介して沸騰室に連通している。そして、予備加熱経路部内の水は、沸騰室からエルボを通じて流入する高温のミストに常時接触することにより、給水経路部を介して沸騰室に供給される前段階で予備加熱されるようになっている。
【先行技術文献】
【特許文献】
【０００４】
【特許文献１】特開２００７−２６００５８号公報
【発明の概要】
【発明が解決しようとする課題】
【０００５】
ところで、特許文献１に記載のミスト発生装置では、予備加熱経路部内の比較的高温の水が貯水タンクから給水経路部を通じて供給される比較的低温の水よりも上方に滞留し易い性質を有するにも関わらず、給水経路部の途中に予備加熱経路部の下端部が連結されている。そのため、貯水タンクから給水経路部を通じて供給される比較的低温の水は、予備加熱経路部内の比較的高温の水が十分に混合されることなく、比較的低温のままで沸騰室に供給されることもあり得る。そのため、沸騰室に給水経路部を介して新たに水を供給した際に、沸騰室内の水の温度が急激に低下することにより、ミストを安定して発生させることができなくなる虞があった。
【０００６】
本発明は、このような事情に鑑みてなされたものであり、その目的は、ミストを安定して発生させることができるミスト発生装置及び美容装置を提供することにある。
【課題を解決するための手段】
【０００７】
上記目的を達成するために、本発明のミスト発生装置は、貯留タンクから供給される液体を加熱してミストを生成するミスト室と、前記ミスト室に前記液体を供給する液体供給流路と、前記液体供給流路を通じて供給される液体よりも高温の液体を貯留する貯留部と、前記液体供給流路の途中位置に設けられ、前記液体供給流路を通じて供給される液体を滞留させつつ、前記貯留部に貯留されている液体を流入させることにより両液体を混合させる混合部とを備えたことを特徴とする。
【０００８】
また、本発明のミスト発生装置において、前記貯留部に貯留される前記液体の体積は、前記混合部に貯留される前記液体の体積よりも小さいことを特徴とする。
また、本発明のミスト発生装置は、前記液体供給流路の途中位置に設けられ、前記ミスト室への前記液体の流入を低減させる規制部材を更に備えたことを特徴とする。
【０００９】
また、本発明のミスト発生装置において、前記規制部材は、前記液体供給流路における前記混合部よりも前記貯留タンク側に設けられることを特徴とする。
また、本発明のミスト発生装置において、前記規制部材には、前記液体供給流路の流路断面形状よりも小さな開口形状の通液孔が形成されていることを特徴とする。
【００１０】
また、本発明の美容装置は、ミストを放出して肌表面の手入れを行う美容装置において、上記構成のミスト発生装置を備えたことを特徴とする。
【発明の効果】
【００１１】
本発明によれば、ミストを安定して発生させることができる。
【図面の簡単な説明】
【００１２】
【図１】本発明に係る実施形態の美顔器の斜視図。
【図２】同美顔器の背面図。
【図３】給水タンク及びタンクホルダーの断面図。
【図４】美顔器本体の背面図。
【図５】タンクホルダーに接続される管路の斜視図。
【図６】図２における６−６線矢視断面図。
【図７】美顔器本体を後方側から見た斜視図。
【図８】スチーム生成機構の拡大断面図。
【図９】（ａ）は最大水位まで水が貯留されているスチーム生成機構を示す模式図、（ｂ）はボイラー室に向けて水を供給している最中のスチーム生成機構を示す模式図。
【図１０】本発明に係る別の実施形態のスチーム生成機構を示す模式図。
【発明を実施するための形態】
【００１３】
以下、本発明をミスト発生装置を備える美容装置としての美顔器に具体化した一実施形態を図１〜図９に従って説明する。なお、以下の説明において、「前後方向」、「左右方向」、「上下方向」をいう場合には、図中における矢印に示す方向を示すものとする。
【００１４】
図１に示すように、本実施形態の美顔器１０における有底略円筒状の本体ケース１１内には美顔器本体１２が収容されている。また、本体ケース１１の開口部と面一をなす美顔器本体１２の上面にはノズル部１３及びスイッチ部１４が設置されている。そして、ノズル部１３及びスイッチ部１４を有する美顔器本体１２の上面は、本体ケース１１に対し開閉可能（傾動可能）に取り付けられたメインカバー１５にて露出・隠蔽が可能とされている。
【００１５】
ノズル部１３は、美顔器本体１２の上面の中央に設けられており、スチーム（温ミスト）を放出する一対のスチームノズル１６ａ，１６ｂ、冷ミストを放出するミストノズル１７、及びマイナスイオンを放出するイオンノズル１８を有している。そして、ミストノズル１７が左右方向中央位置に、スチームノズル１６ａがその右側に、スチームノズル１６ｂが左側に、イオンノズル１８がミストノズル１７の上側にそれぞれ配置されている。尚、スチームノズル１６ａ，１６ｂは、互いの間隔が例えば７０ｍｍに設定されている。
【００１６】
また、スチームノズル１６ａ，１６ｂ、ミストノズル１７、及びイオンノズル１８の各放出方向は前側斜め上方の同一方向に向くように設定されている。すなわち、美顔器１０の前側と使用者とが対向するように使用された時に、その使用者の顔表面に向けて各ノズル１６ａ，１６ｂ，１７，１８の放出方向が向くように設定されている。また、このノズル部１３にもノズルカバー１９が開閉可能（傾動可能）に取り付けられ、その開閉にて各ノズル１６ａ，１６ｂ，１７，１８の露出・隠蔽が可能とされている。
【００１７】
また、ノズル部１３の手前右側には、スイッチ部１４として、それぞれ押しボタンスイッチにて構成される電源スイッチ２０、運転制御スイッチ２１、及びコース選択スイッチ２２が設けられている。電源スイッチ２０は、美顔器１０のオンオフ操作を行うものである。また、運転制御スイッチ２１及びコース選択スイッチ２２は、その操作にて、スチームと冷ミストとを組み合わせて対象体に向けて放出するコースや、スチームのみを放出するコースといった各種のコースの選択、及びその決定（動作開始）を行うものである。
【００１８】
また、メインカバー１５の前端部には、開閉操作部２３として、開閉操作板２４及び開閉操作カバー２５が設けられている。開閉操作板２４は、メインカバー１５に図示しない締結ねじにより固定された開閉操作カバー２５に対して、その後端部が回動可能に取り付けられており、この開閉操作板２４の前端部にはフック部２６が設けられている。そして、開閉操作板２４のフック部２６は、メインカバー１５が閉じられた際に、美顔器本体１２の上面の前端部に設けられたフック受け部２７に対して図示しないばねの付勢力に基づき掛止することにより、メインカバー１５の開放動作をロックするようになっている。また、開閉操作カバー２５の後端部にはフック部２８が設けられており、このフック部２８にはミストノズル１７を掃除するためのミスト針２９が着脱自在に取り付けられている。
【００１９】
また、図２に示すように、美顔器本体１２の後方下部における右寄りの位置には、インレットプラグ３０が設けられている。そして、このインレットプラグ３０には、外部から電源を供給するための電源コード３１が着脱可能に取り付けられている。
【００２０】
また、美顔器本体１２の後方下部における左寄りの位置には、美顔器本体１２の内部から水（液体）を排水するための排水口３２、及び該排水口３２を通じた排水動作を操作するための排水操作板３３が設けられている。そして、本体ケース１１には、排水口３２及び排水操作板３３を覆うように排水カバー３４が回動自在に取り付けられている。
【００２１】
また、図１に示すように、ノズル部１３の左側には、美顔器本体１２の上面から凹設されてなるタンクホルダー３５が設けられており、該タンクホルダー３５内には、本体ケース１１の開口部と面一となるように給水タンク３６が着脱可能に収容されている。
【００２２】
具体的には、図３に示すように、タンクホルダー３５において給水タンク３６を収容する内面には、給水タンク３６を相対移動不能に係止させるタンク固定部３７が設けられている。このタンク固定部３７は、先端部３８ａが凸状をなすタンクフック３８と、該タンクフック３８をその先端部３８ａがタンクホルダー３５の内側に向くようにして基端側から付勢するタンクフックバネ３９とを備えている。そして、給水タンク３６がタンクホルダー３５に対して装着されると、タンクホルダー３５の内側に付勢されたタンクフック３８の先端部３８ａが、給水タンク３６の外側面に設けられた凹部４０に対して係合することにより、給水タンク３６がタンクホルダー３５に対して相対移動不能に係止されるようになっている。
【００２３】
また、図４及び図５に示すように、タンクホルダー３５の下部からは、図２に示した排水口３２に連なる排出チューブ４１が延設されている。この排出チューブ４１の途中には分岐部４２が設けられ、その分岐部４２には下流側が二股状に分岐した給水チューブ４３の上流端が接続されている。そして、この給水チューブ４３の各下流端は、給水タンク３６から給水された水からスチーム（ミスト）を発生させるミスト発生装置としてのスチーム生成機構４４（図６参照）、及び給水タンク３６から給水された水から冷ミストを生成する冷ミスト生成機構４５に対してそれぞれ接続されている。なお、排出チューブ４１における分岐部４２よりも上流側及び給水チューブ４３における分岐位置よりも上流側となる各位置からは分岐チューブ４１ａ，４３ａが鉛直方向上側に延びるように分岐し、それらの各上端がタンクホルダー３５に接続されている。そして、排出チューブ４１内及び給水チューブ４３内から気泡が各分岐チューブ４１ａ，４３ａ及びタンクホルダー３５を通じて外部に排出されるようになっている。
【００２４】
図６に示すように、スチーム生成機構４４は、美顔器本体１２の中央よりも前側に備えられており、駆動電流の供給に基づいて発熱しその発熱の自己制御機能を有するＰＴＣ（Positive Temperature Coefficient）ヒーター４６ａ，４６ｂを前側と後側にそれぞれ備えている。そして、スチーム生成機構４４は、給水タンク３６から給水チューブ４３を介してＰＴＣヒーター４６ａ，４６ｂの内側のミスト室としてのボイラー室４７内に供給された水を沸騰させてスチーム（ミスト）の生成を行っている。
【００２５】
ボイラー室４７の上部には、生成したスチームを一対のスチームノズル１６ａ，１６ｂまで案内するためのスチーム案内管路４８が接続されている。そのため、ボイラー室４７にて生成されたスチームはスチーム案内管路４８を通って各スチームノズル１６ａ，１６ｂまでそれぞれ案内される。そして、ボイラー室４７やスチーム案内管路４８内は高圧となるため、各スチームノズル１６ａ，１６ｂの放出孔からはある程度の勢いを以てスチームが放出されるようになっている。尚、スチームノズル１６ａ，１６ｂの放出孔の内径は例えば３．６ｍｍに設定されている。
【００２６】
また、スチーム案内管路４８の途中位置には、スチーム放電部４９が備えられている。スチーム放電部４９は、自身の放電により、通過するスチームをより微細化するものである。また、このスチーム放電部４９では、抗酸化作用があり肌にも良いとされる金属（例えば白金）を用い、放電を利用してその金属微粒子を発生させている。
【００２７】
冷ミスト生成機構４５は、スチーム生成機構４４よりも後側に備えられており、ベンチュリー効果を用いて冷ミストを生成する。給水タンク３６から給水チューブ４３を通じて供給される水はスチーム生成として利用される他に冷ミスト生成としても利用され、その給水タンク３６からの水の一部をミストノズル１７まで送水する送水管路５０が備えられている。送水管路５０は、後側のＰＴＣヒーター４６ｂの放熱面の平面方向に蛇行して該放熱面に当接するように配置される殺菌部５１を有している。この殺菌部５１の内部には、所定の水量が保持されており、スチーム生成時の後側のＰＴＣヒーター４６ｂの熱（余熱）により、冷ミスト用の水が例えば８０℃以上、３０秒以上で殺菌処理されるようになっている。このように殺菌された水が送水管路５０に供給される。その結果、ミストノズル１７から放出される冷ミストは、美容に適した衛生状態に保たれる。
【００２８】
また、図７に示すように、冷ミスト生成機構４５として、美顔器本体１２内には左右一対のポンプブロック５２が設けられている。これらのポンプブロック５２は、電源モーターを駆動源としたポンプ５３と、該ポンプ５３から送出される空気をミストノズル１７に向けて流動させるエアチューブ５４とを各々備えている。そして、各ポンプブロック５２から送出される空気は、両エアチューブ５４が接続されるエアパイプ５５で混合されることにより風量が増大した状態で、エアチューブ５６（図６参照）を通じてミストノズル１７へと送風される。
【００２９】
次に、スチーム生成機構４４の詳細な構成について図８に基づき説明する。
図８に示すように、スチーム生成機構４４のボイラー６０における下方寄りの位置には、給水路６１が水平方向に延びるように形成されている。そして、この給水路６１の一端側（図８では右端側）には、給水チューブ４３がはめ込むようにして接続されている。また、ボイラー６０の下面には、鉛直方向に延びる垂直空間を形成するように混合部６２が凹設されている。
【００３０】
また、ボイラー６０には、混合部６２の下側の開口を液密状に封止するようにボイラーキャップ６３が取着されている。ボイラーキャップ６３は、前後両側が開口した略筒状をなしており、その内側の空間域６４が給水路６１の他端側（図８では左端側）に接続されている。また、ボイラーキャップ６３において空間域６４の内面の一部を構成する上壁部６５にはボイラーキャップ６３内の空間域６４を混合部６２に連通させる貫通孔６６が上下方向に貫通するように形成されている。
【００３１】
さらに、ボイラー６０には、混合部６２の上方となる位置に、給水路６１から供給される水がボイラー６０により加熱されてスチーム化した後に結露して高温の水となった場合に、その高温の水を一時的に貯留する貯留部６７が鉛直方向に延びる垂直空間を形成するように設けられている。すなわち、混合部６２及び貯留部６７は、鉛直方向に延びる同一直線上に連続して延びるように構成されている。なお、この貯留部６７の流路断面形状は、混合部６２の流路断面形状よりも小さくなるように構成されている。そして、貯留部６７の下端部は、混合部６２の天井面の略中央位置に開口している。
【００３２】
また、混合部６２及び貯留部６７の前後両側となる位置には、給水タンク３６から供給された水をＰＴＣヒーター４６ａ，４６ｂで加熱して沸騰させるためのボイラー室４７が、ボイラー６０における鉛直方向に沿う前後各外壁面６０ａとＰＴＣヒーター４６ａ，４６ｂとの間に囲み形成される。
【００３３】
ボイラー室４７は、その内部空間が上下方向を長手方向とすると共に左右方向を短手方向とし且つ前後方向を厚み方向とする薄い略直方体形状をなしている。また、各ボイラー室４７における上下方向に沿う両内壁面のうち、一方の内側面はボイラー６０の前後各外壁面６０ａで構成される一方、他方の内壁面はボイラー室４７の側方に上下方向に沿って立設された薄い平板状のＰＴＣヒーター４６ａ，４６ｂの加熱面６８ａ，６８ｂで構成されている。そして、これらのボイラー室４７の下端部に対して、その基端を混合部６２の上端部に接続した連通部６９の先端が接続されることにより、混合部６２とボイラー室４７とが連通されている。すなわち、連通部６９の先端側（ボイラー室４７側）の開口部６９ａは、混合部６２からボイラー室４７に向けて水を流入させる流入口を構成している。
【００３４】
なお、連通部６９は、前後方向に水平に延びるように設けられている。そのため、連通部６９は、上下方向に延びる混合部６２及び貯留部６７に対して直交する構成となっている。そして、本実施形態では、給水路６１、空間域６４、貫通孔６６、混合部６２、連通部６９により、給水タンク３６から供給された水をボイラー室４７に向けて供給する給水経路７１が構成されている。そして、給水経路７１を介してボイラー室４７に供給された水は、ボイラー室４７内でＰＴＣヒーター４６ａ，４６ｂによって加熱されることによりスチーム化されるようになっている。
【００３５】
また、ボイラー６０には、貯留部６７の上方となる位置に、その下部が貯留部６７に連通するとともに、その上部がスチーム案内管路４８内に対して図示しない通孔を介して連通する合流部７２が形成されている。そして、この合流部７２に対して前後両ボイラー室４７の上端部から各々前後方向に水平に延びるように形成されたスチーム流路７３が接続されている。すなわち、合流部７２を介してスチーム流路７３が貯留部６７に対して連通している。そして、スチーム案内管路４８内で結露した高温の水の一部がスチーム流路７３を通じて貯留部６７に還流されるようになっている。すなわち、貯留部６７には、給水タンク３６から給水経路７１を通じて供給される水よりも高温の水が貯留される。そして、給水タンク３６から供給される比較的低温の水は、貯留部６７内に貯留された比較的高温の水と混合部６２内で混合されて予備加熱された状態で、連通部６９を通じてボイラー室４７に供給されるようになっている。
【００３６】
次に、上記のように構成された美顔器１０の作用について、特に、給水タンク３６から供給された水を給水経路７１を通じてボイラー室４７に流入させる際の作用に着目して以下説明する。
【００３７】
さて、図９（ａ）に示すように、給水タンク３６から、給水路６１、貫通孔６６、混合部６２及び連通部６９等からなる給水経路７１を通じて、ボイラー室４７に水が供給された直後においては、ボイラー室４７内には該ボイラー室４７に貯留可能とされる最大水位に略相当する高水位Ｈ１の水が貯留される。また、このボイラー室４７に対して連通部６９及び混合部６２を介して連通されている貯留部６７にも、ボイラー室４７内の水の水位と等しくなるように、貯留部６７に貯留可能とされる最大水位に略相当する高水位Ｈ１の水が貯留される。そして、この状態では、貯留部６７に貯留されている水の体積は、混合部６２に貯留されている水の体積よりも小さくなっている。
【００３８】
そして、ボイラー室４７内の水がＰＴＣヒーター４６ａ，４６ｂの加熱面６８ａ，６８ｂによって加熱されて沸騰すると、気化するためにボイラー室４７内の水の水位が次第に下降して低水位Ｈ２まで低下する。すると、図９（ｂ）に示すように、その時点ではボイラー室４７内の水の水位である低水位Ｈ２よりも高い水位で水を貯留している給水タンク３６側からボイラー室４７側に向けて作用する水頭圧に基づいて、給水タンク３６側から給水経路７１を通じてボイラー室４７側に水が流入する。
【００３９】
ここで、給水経路７１の一部を構成する混合部６２は、上方のスチーム案内管路４８内で結露した高温の結露水が還流する貯留部６７に連通している。そのため、混合部６２に貯留されている水は、貯留部６７内に貯留されている高温の水と混合されることによって予備加熱される。すなわち、混合部６２には、給水タンク３６から供給される水よりも高温の水が滞留することになる。そして、給水タンク３６から混合部６２に流入する比較的低温の水は、混合部６２に滞留する比較的高温の水に対して混合部６２内で混合された後に、連通部６９を通じてボイラー室４７に供給される。
【００４０】
この場合、混合部６２及び連通部６９は互いに直交するように交差した配置構成となっている。そのため、混合部６２に対して給水路６１側から貫通孔６６を介して鉛直上方に流入した水は、貯留部６７の下端部が開口した混合部６２の天井面に対して衝突することにより、混合部６２内に対流を生じさせる。その結果、給水タンク３６から混合部６２に流入する比較的低温の水は、混合部６２に滞留する比較的高温の水に対して混合部６２内で十分に混合された上で、連通部６９を通じてボイラー室４７に供給される。
【００４１】
なお、混合部６２には、貯留部６７及びボイラー室４７に貯留されている水の体積の減少分だけ、給水タンク３６側から水頭圧により新たに水が流入する。この点、本実施形態では、貯留部６７に貯留される水の体積は、混合部６２に貯留される水の体積よりも小さくなっている。すなわち、貯留部６７及びボイラー室４７に貯留されている水の水位が、例えば貯水量がゼロになるほどに低下した場合でも、その場合における混合部６２への水の流入量に対して混合部６２の容積は十分に大きく設定されている。その結果、混合部６２に対して比較的低温の水が新たに流入するとき、その混合部６２内には新たに流入してくる水よりも高温の水が常に滞留していることになるので、混合部６２からボイラー室４７側へ給水タンク３６からの比較的低温の水がダイレクトに供給されることが抑制される。したがって、混合部６２から連通部６９を通じてボイラー室４７内に水を供給した場合に、ボイラー室４７内の水の温度が急激に低下することにより、ボイラー室４７からのスチームの生成が中断してしまうことが回避される。
【００４２】
また、本実施形態では、ボイラーキャップ６３に形成された貫通孔６６の開口面積は、混合部６２の流路断面積よりも狭小となっている。そのため、混合部６２への水の流入量は、貫通孔６６が形成されたボイラーキャップ６３の上壁部６５によって低減されるため、混合部６２内の水の温度が急激に低下することが抑制される。したがって、混合部６２から連通部６９を通じてボイラー室４７内に水を供給した場合に、ボイラー室４７内の水の温度が急激に低下することにより、ボイラー室４７からのスチームの生成が中断してしまうことがより確実に回避される。
【００４３】
以上説明した本実施形態によれば、以下に示す効果を得ることができる。
（１）給水経路７１を通じて供給される比較的低温の水は、貯留部６７に貯留される比較的高温の水が混合部６２において十分に混合されて予備加熱された上でボイラー室４７に供給される。そのため、給水経路７１を通じてボイラー室４７に新たに水を供給した際に、ボイラー室４７内の水の温度が低下することが抑制されるため、スチームを安定して生成することができる。
【００４４】
（２）混合部６２に貯留される水の体積が大きく確保されているため、給水タンク３６から供給される比較的低温の水を、貯留部６７に貯留された比較的高温の水と混合部６２においてより十分に混合して予備加熱した上でボイラー室４７に供給することができる。
【００４５】
（３）給水タンク３６からボイラー室４７に向けて給水経路７１を通じて水が急激に流入することがボイラーキャップ６３の上壁部６５によって低減される。そのため、給水タンク３６からボイラー室４７に新たに水を供給した際に、ボイラー室４７内の水の温度が急激に低下することをより確実に抑制できる。
【００４６】
（４）ボイラーキャップ６３に形成された貫通孔６６は、給水経路７１において混合部６２よりも給水タンク３６側に設けられている。そのため、給水タンク３６から供給される比較的低温の水が混合部６２に急激に流入することが規制される。そのため、給水タンク３６から混合部６２に水を供給した際に、混合部６２において混合される水の温度が急激に低下することが抑制される。したがって、混合部６２において混合された水を連通部６９を通じてボイラー４７室に供給した場合に、ボイラー室４７内の水の温度が低下することをより確実に抑制できる。
【００４７】
（５）給水経路７１の途中位置には、給水経路７１の流路断面積を縮小するようにボイラーキャップ６３の貫通孔６６が形成されている。そのため、給水タンク３６からボイラー室４７への給水経路７１を通じた水の流入を低減する構成を簡易に実現することができる。
【００４８】
なお、上記実施形態は、以下のような別の実施形態に変更してもよい。
・上記実施形態において、図１０に示すように、貯留部６７の内面を覆うように筒状の挿入部材８０を挿入することにより、貯留部６７の流路断面積が混合部６２の流路断面積よりも狭小となるようにしてもよい。この場合、挿入部材８０が挿入される前の貯留部６７の流路断面積は、混合部６２の流路断面積と等しくなるように構成してもよいし、混合部６２の流路断面積よりも大きくなるように構成してもよい。また、挿入部材８０の形状は筒状に限定されるものではなく、貯留部６７内の流路を確保しつつ貯留部６７の流路断面積を狭小とする構成であれば、任意の形状を採用することができる。
【００４９】
・上記実施形態において、混合部６２内に水を流入させるための通液孔として、ボイラーキャップ６３の上壁部６５に対して複数の貫通孔６６を形成するようにしてもよい。
・上記実施形態において、給水経路７１の途中位置に、給水経路７１を給水タンク３６側の流路領域とボイラー室４７側の流路領域とに仕切る仕切り壁を設けるとともに、この仕切り壁に対して双方の流路領域を連通させるように連通孔（通液孔）を形成するようにしてもよい。なお、上記の仕切り壁は、給水経路７１における混合部６２よりも給水タンク３６側に設けることが望ましい。
【００５０】
・上記実施形態において、混合部６２に貯留される水の体積は、貯留部６７に貯留される水の体積と同程度となるように構成してもよいし、貯留部６７に貯留される水の体積よりも小さくなるようにしてもよい。
【００５１】
・上記実施形態において、混合部６２とボイラー室４７とを連通させる連通部６９は、必ずしも混合部６２に対して直角に交差する配置構成とする必要はない。ただし、混合部６２に流入した水が連通部６９を通じてボイラー室４７に供給される際に、混合部６２内に水の対流を生じさせるためには、連通部６９と混合部６２とが所定の角度を以って互いに交差する配置構成とすることが望ましい。
【００５２】
・上記各実施形態において、本発明を美顔器１０に具体化したが、加湿器などに具体化してもよい。
・上記実施形態では、液体として水に具体化したが、アルカリイオン水、美容液を含んだ水、電解水、芳香剤を含んだ水等で実施してもよい。
【符号の説明】
【００５３】
１０…美容装置としての美顔器、３６…貯留タンクとしての給水タンク、４４…ミスト発生装置を構成するスチーム生成機構、４７…ミスト室としてのボイラー室、６２…混合部、６５…規制部材としての上壁部、６６…通液孔としての貫通孔、６７…貯留部、７１…液体供給流路としての給水経路。
【図１】
2012205729.tif 000003
【図２】
2012205729.tif 000004
【図３】
2012205729.tif 000005
【図４】
2012205729.tif 000006
【図５】
2012205729.tif 000007
【図６】
2012205729.tif 000008
【図７】
2012205729.tif 000009
【図８】
2012205729.tif 000010
【図９】
2012205729.tif 000011
【図１０】
2012205729.tif 000012